【手続補正書】
【提出日】平成23年10月12日(2011.10.12)
【手続補正１】
【補正対象書類名】明細書
【補正対象項目名】００５７
【補正方法】変更
【補正の内容】
【００５７】
上記実施形態の多くが、「コーティング」または「医療デバイス用コーティング」を指しているが、本発明は、コーティング、ならびに独立型材料、または本明細書に記載の他の形として実装することが可能であり、当業者によって理解されるように、実装されるとその環境と相互作用する外面および／またはコーティングを有することが理解されるはずである。したがって、本明細書に記載の実施形態は、具体的にコーティングと呼ばれるものも、他の形で示されるものも、それらが本明細書に記載の脂肪酸誘導生体材料に基づく限り、すべてが本発明の範囲内にあることを意図する。
本発明は、例えば以下の項目を提供する。
（項目１）
架橋脂肪酸およびグリセリドを含む医療デバイス用コーティング。
（項目２）
前記脂肪酸の源がオメガ−３脂肪酸である項目１に記載のコーティング。
（項目３）
約５〜５０％のＣ１６脂肪酸を含む架橋脂肪酸油を含む医療デバイス用コーティング。
（項目４）
前記油が５〜２５％のＣ１４脂肪酸を含む項目３に記載のコーティング。
（項目５）
前記油が５〜３０％のＣ１６脂肪酸を含む項目３に記載のコーティング。
（項目６）
脂肪酸、グリセリドおよびグリセロールにインビボで加水分解する医療デバイス用コーティング。
（項目７）
約５〜２５％のＣ１４脂肪酸および５〜５０％のＣ１６脂肪酸を含む非ポリマー架橋脂肪酸を含む医療デバイス用コーティング。
（項目８）
架橋脂肪酸およびグリセリドを含む医療デバイス用コーティングであって、前記脂肪酸およびグリセリドが、前記コーティングを柔軟かつ水和性にする無秩序アルキル基を有するコーティング。
（項目９）
脂肪酸誘導生体材料を含む医療デバイス用コーティングであって、前記脂肪酸誘導生体材料がデルタ−ラクトンを含むコーティング。
（項目１０）
それぞれ約１７４０〜１８３０ｃｍ−１にピークを有する赤外吸収スペクトルによって示されるラクトンとエステルの架橋を含む医療デバイス用コーティング。
（項目１１）
架橋脂肪酸誘導生体材料を含む医療デバイス用コーティングであって、前記生体材料の約６０〜９０％が、５００未満の分子量を有する脂肪酸によって構成されるコーティング。
（項目１２）
エステル交換脂肪酸を含む医療デバイス用コーティング。
（項目１３）
前記脂肪酸がステアリン酸、オレイン酸、リノール酸、アルファ−リノレン酸またはガンマ−リノレン酸である項目１２に記載のコーティング。
（項目１４）
前記脂肪酸の源が油である項目１２に記載のコーティング。
（項目１５）
前記油が魚油、オリーブ油、グレープ油、パーム油または亜麻仁油である項目１４に記載のコーティング。
（項目１６）
医療デバイス用コーティングであって、
疎水性非ポリマー架橋脂肪酸と、
治療薬とを含み、
患者における前記医療デバイスの配置に耐えるための十分な耐久性を有するコーティング。
（項目１７）
最初に０．１ＭのＰＢＳ溶液に曝露されると約９０〜１１０度の接触角を有し、約１時間の曝露の後は５０〜７０度の接触角を有する脂肪酸誘導生体材料を含む医療デバイス用コーティング。
（項目１８）
α−ＴＮＦの生成を抑制する脂肪酸誘導生体材料を含む医療デバイス用コーティング。
（項目１９）
モジュレートされた治癒を、それを必要とする組織領域で達成するのに好適な脂肪酸誘導生体材料であって、前記生体材料が、前記モジュレートされた治癒を達成するのに十分な量で投与され、前記モジュレートされた治癒が、前記組織領域内または前記組織領域付近の血小板または線維素沈着のモジュレーションを含む脂肪酸誘導生体材料。
（項目２０）
前記組織領域が被験体の血管系である項目１９に記載の生体材料。
（項目２１）
モジュレートされた治癒を、それを必要とする血管傷害の部位で達成するのに好適な脂肪酸誘導生体材料であって、前記組成物が、前記モジュレートされた治癒を達成するのに十分な量で投与され、前記モジュレートされた治癒が、少なくとも１測定基準の器質化組織修復のモジュレーションを含む脂肪酸誘導生体材料。
（項目２２）
前記血管治癒が、血管治癒の炎症段階である項目２１に記載の生体材料。
（項目２３）
前記器質化組織修復が、前記血管傷害の部位における血小板または線維素沈着を含む項目２１に記載の生体材料。
（項目２４）
前記少なくとも１測定基準の器質化組織修復のモジュレーションが、血管傷害の部位における治癒プロセスの遅延である項目２１に記載の生体材料。
（項目２５）
前記組成物が、カテーテル、バルーン、ステント、外科用メッシュ、外科用包帯または移植片を介して、それを必要とする組織領域に投与される項目１９または２１に記載の生体材料。
（項目２６）
ラクトンおよびエステル架橋を含む項目１から１８のいずれか一項に記載のコーティング。
（項目２７）
赤外吸収およびＸ線回折によって測定される無秩序炭化水素鎖を含む項目１から１８のいずれか一項に記載のコーティング。
（項目２８）
インビボでの加水分解を促進するのに十分な量のカルボン酸基を含む項目１から１８のいずれか一項に記載のコーティング。
（項目２９）
インビボで非炎症性成分に分解する項目１から１８のいずれか一項に記載のコーティング。
（項目３０）
インビボで脂肪酸、グリセロールおよびグリセリドに分解する項目１から１８のいずれか一項に記載のコーティング。
（項目３１）
インビボで一旦代謝されるとグリセリドを生成するように構成される項目１から１８のいずれか一項に記載のコーティング。
（項目３２）
約３０〜９０％の飽和脂肪酸を含む項目１から１８のいずれか一項に記載のコーティング。
（項目３３）
約３０〜８０％の不飽和脂肪酸を含む項目１から１８のいずれか一項に記載のコーティング。
（項目３４）
グリセリドをさらに含む項目１から１８のいずれか一項に記載のコーティング。
（項目３５）
グリセリド、グリセロールおよび脂肪アルコールからなる群の１種または複数種をさらに含み、そのいずれも部分架橋することができる項目１から１８のいずれか一項に記載のコーティング。
（項目３６）
外部架橋剤を含まない項目１から１８のいずれか一項に記載のコーティング。
（項目３７）
前記脂肪酸およびグリセリドの源が油である項目１から１８のいずれか一項に記載のコーティング。
（項目３８）
前記油が魚油、オリーブ油、グレープ油、パーム油または亜麻仁油である項目３７に記載のコーティング。
（項目３９）
前記油が魚油である項目３７に記載のコーティング。
（項目４０）
ビタミンＥをさらに含む項目１から１８のいずれか一項に記載のコーティング。
（項目４１）
移植可能デバイスに結合される項目１から１８のいずれか一項に記載のコーティング。
（項目４２）
前記コーティングが医療デバイスに結合され、前記医療デバイスがステント、カテーテル、医療用メッシュまたはバルーンである項目１から１８のいずれか一項に記載のコーティング。
（項目４３）
治療薬をさらに含む項目１から１８のいずれか一項に記載のコーティング。
（項目４４）
前記治療薬が抗増殖薬、抗炎症薬、抗微生物薬または抗生物質である項目４３に記載のコーティング。
（項目４５）
前記治療薬が化合物Ａ、化合物Ｂ、化合物Ｃ、化合物Ｄ、化合物Ｅ、シクロスポリン誘導体またはラパマイシン誘導体である項目４３に記載のコーティング。
（項目４６）
０．０１Ｍリン酸緩衝食塩水（ＰＢＳ）中で約５〜２０日間まで前記治療薬を放出する放出プロファイルを有する項目４３に記載のコーティング。
（項目４７）
０．０１Ｍリン酸緩衝食塩水（ＰＢＳ）中で１７〜２０日まで前記治療薬を放出する放出プロファイルを有する項目４３に記載のコーティング。
（項目４８）
前記治療薬をインビボにて所望の放出速度で放出する項目４３に記載のコーティング。
（項目４９）
０．０１Ｍリン酸緩衝食塩水（ＰＢＳ）中で２０日間を超える日数まで前記治療薬を放出する放出プロファイルを有する項目４３に記載のコーティング。
（項目５０）
医療デバイス用コーティングを調製する方法であって、脂肪酸含有油を、
前記油の二重結合が酸化され、
脂肪酸およびグリセリドが形成され、
ラクトンおよびエステル架橋が脂肪酸とグリセリドの間に形成され、それによって前記コーティングが形成されるように、
酸素の存在下で加熱することを含む方法。
（項目５１）
前記油を、中断せずに連続的に加熱する項目５０に記載の方法。
（項目５２）
医療デバイス用コーティングを調製する方法であって、脂肪酸含有油を、
前記油の二重結合が酸化され、
水、炭化水素およびアルデヒドが揮発され、
エステルおよびラクトンの架橋が形成され、それによって前記コーティングが形成されるように、
酸素の存在下で加熱することを含む方法。
（項目５３）
前記油を、中断せずに連続的に加熱する項目５２に記載の方法。
（項目５４）
前記油を本明細書に記載の手順に従って硬化させる項目５０または５２に記載の方法。
（項目５５）
前記油を約１４０°Ｆから約３００°Ｆまでで加熱する項目５０または５２に記載の方法。
（項目５６）
前記油を１５０°Ｆまたは２００°Ｆで加熱する項目５０または５２に記載の方法。
（項目５７）
前記油が魚油である項目５０または５２に記載の方法。
（項目５８）
治療薬を添加することをさらに含む項目５０または５２に記載の方法。
（項目５９）
前記治療薬が抗増殖薬、抗炎症薬、抗微生物薬または抗生物質である項目５８に記載の方法。
（項目６０）
前記治療薬が化合物Ａ、化合物Ｂ、化合物Ｃ、化合物Ｄ、化合物Ｅ、シクロスポリン誘導体またはラパマイシン誘導体である項目５９に記載の方法。
（項目６１）
項目５０または５２に記載の方法によって製造される非ポリマー医療デバイスコーティング。
（項目６２）
さらに医療デバイスと結合された項目６１に記載のコーティング。
（項目６３）
有機溶媒と組み合わされ、医療デバイスに噴霧された項目６２に記載のコーティング。
（項目６４）
前記医療デバイスがステント、カテーテル、外科用メッシュまたはバルーンである項目６３に記載のコーティング。
（項目６５）
それぞれ約１７４０〜１８３０ｃｍ−１にピークを有する赤外吸収スペクトルによって示されるラクトンおよびエステル架橋を含む項目６１に記載のコーティング。
（項目６６）
約３０００〜２８００ｃｍ−１に赤外吸収を有する無秩序炭化水素鎖を含む項目６１に記載のコーティング。
（項目６７）
脂肪酸誘導生体材料を形成する方法であって、
脂肪酸を連続的に加熱することによって、前記脂肪酸に架橋を形成させた後に、
Ｃ＝Ｃ二重結合を開裂させて、前記脂肪酸を酸化副生成物に変換することを含む方法。
（項目６８）
前記酸化副生成物がアルデヒド、ケトン、アルコール、脂肪酸、エステル、ラクトン、エーテルまたは炭化水素である項目６７に記載の方法。
（項目６９）
前記副生成物が前記コーティング内に残留し、かつ／または前記加熱プロセスの間に揮発される項目６７に記載の方法。
（項目７０）
前記架橋がエステルおよびラクトン架橋であり、前記エステルおよびラクトン架橋がエステル化、アルコール分解、酸分解またはエステル交換を介して生じる項目６７に記載の方法。
（項目７１）
脂肪酸誘導生体材料を形成する方法であって、
脂肪酸を連続的に加熱することによって、不飽和脂肪酸鎖の二重結合を酸化しながら、トリグリセリドエステル官能基を優勢に保存することによって、前記生体材料の粘度を高めることを含む方法。
（項目７２）
前記エステル結合は、エステル、無水物、脂肪族過酸化物およびラクトンを含む項目７１に記載の方法。
（項目７３）
前記酸化プロセスによりヒドロキシルおよびカルボキシル官能基を形成する項目７１に記載の方法。
（項目７４）
ＥＰＡおよびＤＨＡの酸化副生成物を形成する項目７１に記載の方法。
（項目７５）
架橋剤を使用せずに硬化することを含む項目６７から７４のいずれか一項に記載の方法。
（項目７６）
硬化時間および温度を調整して、コーティングの分解を調整する項目６７から７４のいずれか一項に記載の方法。
（項目７７）
ビタミンＥを添加して、前記脂肪酸誘導生体材料における架橋の程度を調整する項目６７から７４のいずれか一項に記載の方法。
（項目７８）
出発材料が４０％の多価不飽和脂肪酸である項目６７から７４のいずれか一項に記載の方法。
（項目７９）
約５〜５０％のＣ１６脂肪酸を含む非ポリマー架橋脂肪酸を含む独立型フィルム。
（項目８０）
５〜２５％のＣ１４脂肪酸を含む項目７９に記載の独立型フィルム。
（項目８１）
５〜４０％のＣ１６脂肪酸を含む項目７９に記載の独立型フィルム。
（項目８２）
ビタミンＥをさらに含む項目７９に記載の独立型フィルム。
（項目８３）
生体吸収性である項目７９に記載の独立型フィルム。
（項目８４）
癒着防止特性を維持する項目７９に記載の独立型フィルム。
（項目８５）
治療薬をさらに含む項目７９に記載の独立型フィルム。
（項目８６）
前記治療薬は、化合物Ａ、化合物Ｂ、化合物Ｃ、化合物Ｄ、化合物Ｅ、シクロスポリン誘導体またはラパマイシン誘導体である項目７９に記載の独立型フィルム。
（項目８７）
前記治療薬が前記独立型フィルムの形成前に前記脂肪酸化合物と組み合わされ、前記治療薬が前記フィルム全体に分散している項目７９に記載の独立型フィルム。
（項目８８）
軟部組織損傷の治療を必要とする被験体における軟部組織損傷を治療する方法であって、項目７９に記載の独立型フィルムを前記被験体の前記損傷組織に投与することを含む方法。
【手続補正２】
【補正対象書類名】特許請求の範囲
【補正対象項目名】全文
【補正方法】変更
【補正の内容】
【特許請求の範囲】
【請求項１】
医療デバイス用コーティングであって、
前記コーティングは、架橋脂肪酸を含み、前記脂肪酸は、約５〜５０％のＣ１６脂肪酸を含み；そして、
前記コーティングは、インビボで加水分解する、コーティング。
【請求項２】
前記脂肪酸が５〜２５％のＣ１４脂肪酸を含む、請求項１に記載のコーティング。
【請求項３】
前記脂肪酸が５〜３０％のＣ１６脂肪酸を含む、請求項１に記載のコーティング。
【請求項４】
遊離脂肪酸、グリセリドおよびグリセロールにインビボで加水分解する、請求項１に記載のコーティング。
【請求項５】
前記コーティングは、架橋脂肪酸およびグリセリドをさらに含み、前記脂肪酸およびグリセリドが、前記コーティングを柔軟かつ水和性にする無秩序アルキル基を有する、請求項１に記載のコーティング。
【請求項６】
前記脂肪酸およびグリセリドは、エステル結合またはラクトン結合のうちの一つ以上によって架橋される、請求項５に記載のコーティング。
【請求項７】
約１７４０〜１８３０ｃｍ−１にピークを有する赤外吸収スペクトルによって示されるように、前記脂肪酸は、ラクトン架橋およびエステル架橋のうちの一つ以上により架橋される、請求項１に記載のコーティング。
【請求項８】
５００未満の分子量を有する、約６０〜９０％の脂肪酸を含む、請求項１に記載のコーティング。
【請求項９】
前記脂肪酸がステアリン酸、オレイン酸、リノール酸、アルファ−リノレン酸またはガンマ−リノレン酸である、請求項１に記載のコーティング。
【請求項１０】
前記脂肪酸の源が油である、請求項１に記載のコーティング。
【請求項１１】
前記油が魚油、オリーブ油、グレープ油、パーム油または亜麻仁油である、請求項１０に記載のコーティング。
【請求項１２】
医療デバイス用コーティングであって、
架橋脂肪酸と、
治療薬とを含み、
前記脂肪酸は、エステル結合またはラクトン結合のうちの一つ以上によって架橋され、前記コーティングは、患者における、前記コーティングが結合する前記医療デバイスの配置に耐えるための十分な耐久性を有する、コーティング。
【請求項１３】
最初に０．１ＭのＰＢＳ溶液に曝露されると約９０〜１１０度の接触角を有し、約１時間の曝露の後は５０〜７０度の接触角を有する、請求項１２に記載のコーティング。
【請求項１４】
α−ＴＮＦの生成を抑制する、請求項１２に記載のコーティング。
【請求項１５】
前記コーティングは、モジュレートされた治癒を、治癒を必要とする組織領域で達成し、前記モジュレートされた治癒が、前記組織領域内または前記組織領域付近の血小板または線維素沈着のモジュレーションを含む、請求項１２に記載のコーティング。
【請求項１６】
前記コーティングが、カテーテル、バルーン、ステント、外科用メッシュ、外科用包帯または移植片を介して、治癒を必要とする組織領域に投与されることを特徴とする、請求項１５に記載のコーティング。
【請求項１７】
前記脂肪酸は、ラクトン結合およびエステル結合によって架橋される、請求項１または１２のいずれか一項に記載のコーティング。
【請求項１８】
赤外吸収およびＸ線回折によって測定される無秩序炭化水素鎖を含む、請求項１または１２のいずれか一項に記載のコーティング。
【請求項１９】
インビボでの加水分解を促進するのに十分な量のカルボン酸基を含む、請求項１または１２のいずれか一項に記載のコーティング。
【請求項２０】
インビボで非炎症性成分に分解する、請求項１または１２のいずれか一項に記載のコーティング。
【請求項２１】
インビボで脂肪酸、グリセロールおよびグリセリドに分解する、請求項１２に記載のコーティング。
【請求項２２】
約３０〜９０％の飽和脂肪酸を含む、請求項１または１２のいずれか一項に記載のコーティング。
【請求項２３】
約３０〜８０％の不飽和脂肪酸を含む、請求項１または１２のいずれか一項に記載のコーティング。
【請求項２４】
グリセリドをさらに含む、請求項１２に記載のコーティング。
【請求項２５】
グリセリド、グリセロールおよび脂肪アルコールのうちの１つ以上をさらに含み、そのいずれも部分架橋することができる、請求項１または１２のいずれか一項に記載のコーティング。
【請求項２６】
外部架橋剤を含まない、請求項１または１２のいずれか一項に記載のコーティング。
【請求項２７】
前記脂肪酸の源が油である、請求項１２に記載のコーティング。
【請求項２８】
前記油が魚油、オリーブ油、グレープ油、パーム油または亜麻仁油である、請求項２７に記載のコーティング。
【請求項２９】
前記油が魚油である、請求項２７に記載のコーティング。
【請求項３０】
ビタミンＥをさらに含む、請求項１または１２のいずれか一項に記載のコーティング。
【請求項３１】
移植可能デバイスに結合される、請求項１または１２のいずれか一項に記載のコーティング。
【請求項３２】
前記コーティングが医療デバイスに結合され、前記医療デバイスがステント、カテーテル、医療用メッシュまたはバルーンである、請求項１または１２のいずれか一項に記載のコーティング。
【請求項３３】
治療薬をさらに含む、請求項１に記載のコーティング。
【請求項３４】
前記治療薬が抗増殖薬、抗炎症薬、抗微生物薬または抗生物質である、請求項１２または３３に記載のコーティング。
【請求項３５】
前記治療薬が化合物Ａ、化合物Ｂ、化合物Ｃ、化合物Ｄ、化合物Ｅ、シクロスポリン誘導体またはラパマイシン誘導体である、請求項１２または３３に記載のコーティング。
【請求項３６】
０．０１Ｍリン酸緩衝食塩水（ＰＢＳ）中で約５〜２０日間まで前記治療薬を放出する放出プロファイルを有する、請求項１２または３３に記載のコーティング。
【請求項３７】
０．０１Ｍリン酸緩衝食塩水（ＰＢＳ）中で１７〜２０日まで前記治療薬を放出する放出プロファイルを有する、請求項１２または３３に記載のコーティング。
【請求項３８】
前記治療薬をインビボにて所望の放出速度で放出する、請求項１２または３３に記載のコーティング。
【請求項３９】
０．０１Ｍリン酸緩衝食塩水（ＰＢＳ）中で２０日間を超える日数まで前記治療薬を放出する放出プロファイルを有する、請求項１２または３３に記載のコーティング。
【請求項４０】
医療デバイス用コーティングを調製する方法であって、前記方法は、不飽和脂肪酸含有油を、
前記不飽和脂肪酸の二重結合が酸化され、
水、炭化水素およびアルデヒドが揮発され、そして
脂肪酸が、エステル架橋およびラクトン架橋のうちの一つ以上によって架橋され、それによって形成されたコーティングがインビボで実質的に非炎症性成分に加水分解するように、
酸素の存在下で加熱することを含む、方法。
【請求項４１】
前記油を、中断せずに連続的に加熱する、請求項４０に記載の方法。
【請求項４２】
前記油を約１４０°Ｆから約３００°Ｆまでで加熱する、請求項４０に記載の方法。
【請求項４３】
前記油を１５０°Ｆまたは２００°Ｆで加熱する請求項４０に記載の方法。
【請求項４４】
前記油が魚油である、請求項４０に記載の方法。
【請求項４５】
治療薬を添加することをさらに含む、請求項４０に記載の方法。
【請求項４６】
前記治療薬が抗増殖薬、抗炎症薬、抗微生物薬または抗生物質である、請求項４５に記載の方法。
【請求項４７】
前記治療薬が化合物Ａ、化合物Ｂ、化合物Ｃ、化合物Ｄ、化合物Ｅ、シクロスポリン誘導体またはラパマイシン誘導体である、請求項４５に記載の方法。
【請求項４８】
請求項４０に記載の方法によって製造される、非ポリマー医療デバイスコーティング。
【請求項４９】
さらに医療デバイスと結合された、請求項４８に記載のコーティング。
【請求項５０】
有機溶媒と組み合わされ、医療デバイスに噴霧された請求項４９に記載のコーティング。
【請求項５１】
前記医療デバイスがステント、カテーテル、外科用メッシュまたはバルーンである、請求項５０に記載のコーティング。
【請求項５２】
前記約ラクトン架橋およびエステル架橋が、約１７４０〜１８３０ｃｍ−１にピークを有する赤外吸収スペクトルによって示される、請求項４８に記載のコーティング。
【請求項５３】
約３０００〜２８００ｃｍ−１に赤外吸収により示されるように、無秩序炭化水素鎖を含む、請求項４８に記載のコーティング。
【請求項５４】
脂肪酸誘導生体材料を形成する方法であって、
不飽和脂肪酸を含む油を加熱し、それにより一つ以上の不飽和部位を酸化し、前記脂肪酸を酸化副生成物に変換し、その後、
前記脂肪酸を架橋することを含み、ここで、前記脂肪酸は、エステル結合またはラクトン結合のうちの一つ以上によって架橋される、方法。
【請求項５５】
前記酸化副生成物がアルデヒド、ケトン、アルコール、脂肪酸、エステル、ラクトン、エーテルまたは炭化水素である、請求項５４に記載の方法。
【請求項５６】
前記副生成物が前記コーティング内に残留し、かつ／または前記加熱プロセスの間に揮発される、請求項５４に記載の方法。
【請求項５７】
前記エステルおよびラクトン架橋がエステル化、アルコール分解、酸分解またはエステル交換を介して生じる、請求項５４に記載の方法。
【請求項５８】
前記エステル架橋は、エステル、無水物、脂肪族過酸化物およびラクトンを含む、請求項５７に記載の方法。
【請求項５９】
前記脂肪酸における架橋の形成は、架橋剤を使用せずに達成される、請求項５４に記載の方法。
【請求項６０】
加熱時間および温度を調整して、コーティングの分解を調整する、請求項５４に記載の方法。
【請求項６１】
ビタミンＥを添加して、前記脂肪酸における架橋の程度を調整する、請求項５４に記載の方法。
【請求項６２】
前記油が４０％の多価不飽和脂肪酸を含む、請求項５４に記載の方法。
【請求項６３】
約５〜５０％のＣ１６脂肪酸を含む非ポリマー架橋脂肪酸を含む、独立型フィルムであって、前記フィルムは、インビボで加水分解する、独立型フィルム。
【請求項６４】
５〜２５％のＣ１４脂肪酸を含む、請求項６３に記載の独立型フィルム。
【請求項６５】
５〜４０％のＣ１６脂肪酸を含む、請求項６３に記載の独立型フィルム。
【請求項６６】
ビタミンＥをさらに含む、請求項６３に記載の独立型フィルム。
【請求項６７】
生体吸収性である、請求項６３に記載の独立型フィルム。
【請求項６８】
癒着防止特性を維持する、請求項６３に記載の独立型フィルム。
【請求項６９】
治療薬をさらに含む、請求項６３に記載の独立型フィルム。
【請求項７０】
前記治療薬は、化合物Ａ、化合物Ｂ、化合物Ｃ、化合物Ｄ、化合物Ｅ、シクロスポリン誘導体またはラパマイシン誘導体である、請求項６３に記載の独立型フィルム。
【請求項７１】
前記治療薬が前記フィルムの形成前に前記脂肪酸と組み合わされ、前記治療薬の前記フィルム全への分散をもたらす、請求項６３に記載の独立型フィルム。
【請求項７２】
前記脂肪酸が、エイコサペンタエン酸（ＥＰＡ）、ドコサヘキサエン酸（ＤＨＡ）およびアルファ−リノレン酸（ＡＬＡ）のうちの一つ以上を含む、請求項１、１２、４８、または６３のうちのいずれか一項に記載のコーティング。